(57)【特許請求の範囲】
【請求項１】
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記足載せ部はねじれを許容するような可撓性を備えており、
前記足載せ部の幅方向の内側部位の踏み込み可動域と外側部位の踏み込み可動域とを異ならしめることで、前記後方部位の下方への押し下げの度合いが、前記足載せ部の幅方向の内側部位と外側部位とで異なるように構成されており、
踏み込み時に、押し下げの度合いの差異に応じて前記足載せ部が幅方向に傾斜するようにねじれる、運動器具。
【請求項２】
前記足載せ部の前記後方部位と前記底部は対向離間しており、前記底部の上面は幅方向に傾斜している、請求項１に記載の運動器具。
【請求項３】
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記足載せ部はねじれを許容するような可撓性を備えており、
前記弾性支持機構によって支持された前記後方部位を下方に押し下げるための力を前記足載せ部の幅方向の内側部位と外側部位とで異ならしめることで、前記後方部位の下方への押し下げの度合いが、前記足載せ部の幅方向の内側部位と外側部位とで異なるように構成されており、
踏み込み時に、押し下げの度合いの差異に応じて前記足載せ部が幅方向に傾斜するようにねじれる、運動器具。
【請求項４】
前記弾性支持機構は、前記後方部位の内側部位を支持する内側弾性支持部材と、前記後方部位の外側部位を支持する外側弾性支持部材と、を備えている、請求項３に記載の運動器具。
【請求項５】
前記内側弾性支持部材を下方に押し下げるための力と、前記外側弾性支持部材を下方に押し下げるための力を、異ならしめてなる、請求項４に記載の運動器具。
【請求項６】
前記内側弾性支持部材と、前記外側弾性支持部材は、異なる強度を備えている、請求項５に記載の運動器具。
【請求項７】
踏み込み時に、前記内側弾性支持部材を下方に押し下げるための力の作用点と、前記外側弾性支持部材を下方に押し下げるための力の作用点が、足載せ部の長さ方向にずれている、請求項５に記載の運動器具。
【請求項８】
前記弾性支持機構は、板ばねから形成されている、請求項１〜７いずれか１項に記載の運動器具。
【請求項９】
前記足載せ部が前記板ばねを形成している、請求項８に記載の運動器具。
【請求項１０】
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記足載せ部と前記底部は一体化されており、
前記弾性支持機構は、前記足載せ部あるいは／および前記底部を形成する弾性部材からなり、
前記足載せ部はねじれを許容するような可撓性を備えており、少なくとも前記後方部位の上面を、前低・後高かつ内低・外高の傾斜面とすることで、前記足載せ部は、荷重が作用しない状態で捩じれ姿勢を有しており、
足を載せた時の前記足載せ部の捩じれによる重心移動によって、前記後方部位の下方への押し下げの度合いが、前記足載せ部の幅方向の内側部位が外側部位よりも大きくなるように構成されており、
踏み込み時に、前記足載せ部の後方部位の内側部位が沈むことで、前記足載せ部がさらに幅方向に傾斜するように捩じれる、運動器具。
【発明の詳細な説明】
【技術分野】
【０００１】
本発明は、運動器具に係り、詳しくは、足を載せて踵で踏み込むようにした運動器具に関するものである。
【背景技術】
【０００２】
踵での踏み込み動作、すなわちステップ動作は、通常の歩行動作に準じる動作であり、人間の基本的動作の１つであり、人間の姿勢とも密接に関係する。立位でのステップ動作は、踵を押し下げることで、アキレス腱を伸ばし、膝を伸ばす伸展運動である。また、姿勢の基本軸は耳〜くるぶしを結ぶ線であるが、ステップ動作は、骨盤・股関節〜くるぶしまでの基本軸を伸展させる動作である。
【０００３】
足を載せて踏み込む動作を行う器具としては、特許文献１、２がある。特許文献１、２には、踵部分を上部材と下部材とから形成し、これらの部材の間にバネを設けて踵部分を昇降可能とした履物（スリッパ、サンダル）が開示されている。特許文献１は、椅子に座った姿勢で足踏み体操を行うことを主眼とする運動機能付きスリッパに係り、特許文献２は、足首に対する衝撃を無くし快適な履き心地が得られるサンダルに係り、いずれもステップ動作の本質に着目したものではない。
【０００４】
また、特許文献３に示すような立体的足揺動運動用のステッパも提案されているが、構造が複雑なものとなっていた。
【特許文献１】特開２００７−８２９９７号
【特許文献２】実用新案登録第３０２４９２６号
【特許文献３】特開２０１２−５５２４号
【発明の開示】
【発明が解決しようとする課題】
【０００５】
本発明は、ステップ動作の本質に着目することで、被験者において姿勢矯正や多様な運動を可能とする運動器具を提供することを目的とする。
【課題を解決するための手段】
【０００６】
本発明が採用した技術手段は、
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記足載せ部はねじれを許容するような可撓性を備えており、
前記後方部位の下方への押し下げの度合いが、前記足載せ部の幅方向の内側部位と外側部位とで異なるように構成されており、
踏み込み時に、押し下げの度合いの差異に応じて前記足載せ部が幅方向に傾斜するようにねじれる、運動器具、
である。
【０００７】
本発明によれば、踏み込み時に、押し下げの度合いの差異に応じた前記足載せ部のねじれ（幅方向における傾斜）が、被験者の脚に作用する。
踏み込み時に、足載せ部の内側部位が外側部位よりも大きく下がるようになっている場合には、足載せ部の傾斜（内低・外高）が被験者の脚に内転を生じさせる。より具体的には、踏み込み時に、骨盤・股関節〜くるぶしまでの基本軸を伸展させながら内旋させることができ、Ｏ脚・蟹股の矯正に有効である。
踏み込み時に、足載せ部の外側部位が内側部位よりも大きく下がるようになっている場合には、足載せ部の傾斜（内高・外低）が被験者の脚に外転を生じさせる。
１つの態様では、外力が作用しない状態では、足載せ部（特に後方部位）は幅方向に略水平姿勢にあり、踏み込み時に幅方向に傾動するようにねじれて幅方向に傾斜姿勢となる。
【０００８】
前記後方部位の下方への押し下げの度合いが、前記足載せ部の幅方向の内側部位と外側部位とで異なる態様としては、例えば、（ア）足載せ部の内側部位と外側部位とで踏み込み可動域（押し下げ可動量）に差異がある場合、（イ）弾性支持機構の内側部位と外側部位とで強度自体に差異がある場合、（ウ）踏み込み時の力のかかり方が内側部位と外側部位で異なる場合（結果として、踏み込み時に、一方が他方よりも下がりやすくなっている）、あるいは、これらの任意の組み合わせ、があり得る。
【０００９】
１つの態様では、前記足載せ部の幅方向の内側部位の踏み込み可動域（押し下げ可動量）と外側部位の踏み込み可動域（押し下げ可動量）とを異ならしめることで、下方への押し下げの度合いに差異をつけている。
例えば、押し下げの強度は、幅方向内外で同じであるが、一方の側の押し下げをストッパー等で規制する、すなわち、ある程度下がったらストッパーに当たってそれ以上の押し下げを規制する。
１つの態様では、前記足載せ部の前記後方部位と前記底部は対向離間しており、前記底部の上面は幅方向に傾斜している。
この場合、底部の上面の傾斜が内低・外高の場合には、足載せ部の傾斜が内低・外高となって、被験者の脚に内転を生じさせ、底部の上面の傾斜が内高・外低の場合には、足載せ部の傾斜が内高・外低となって、被験者の脚に外転を生じさせる。
あるいは、弾性支持機構が板ばねの場合に、ストッパーを設けて板ばねの回動角度（潰れ量ないし沈み量）を規制してもよい。
【００１０】
１つの態様では、前記弾性支持機構によって支持された前記後方部位を下方に押し下げるための力を、前記足載せ部の幅方向の内側部位と外側部位とで異ならしめることで、下方への押し下げの度合いに差異をつけている。
１つの態様では、内側部位を押し下げるための力が外側部位を押し下げるための力よりも小さいように構成されており、被験者の脚に内転を生じさせる。
１つの態様では、外側部位を押し下げるための力が内側部位を押し下げるための力よりも小さいように構成されており、被験者の脚に外転を生じさせる。
【００１１】
１つの態様では、前記弾性支持機構は、前記後方部位の内側部位を支持する内側弾性支持部材と、前記後方部位の外側部位を支持する外側弾性支持部材と、を備えている。
１つの態様では、前記内側弾性支持部材を下方に押し下げるための力と、前記外側弾性支持部材を下方に押し下げるための力を、異ならしめてなる。
１つの態様では、前記内側弾性支持部材と、前記外側弾性支持部材は、異なる強度を備えている。
１つの態様では、前記内側弾性支持部材の強度は、前記外側弾性支持部材の強度よりも小さい。
１つの態様では、前記内側弾性支持部材の強度は、前記外側弾性支持部材の強度よりも大きい。
【００１２】
１つの態様では、踏み込み時に、前記内側弾性支持部材を下方に押し下げるための力の作用点と、前記外側弾性支持部材を下方に押し下げるための力の作用点が、足載せ部の長さ方向にずれている。
この場合、前記内側弾性支持部材と、前記外側弾性支持部材は、異なる強度を備えていても、同じ強度を備えていてもよい。
【００１３】
１つの態様では、前記足載せ部は弾性部材から形成されている。当該弾性部材が弾性支持機構の一部あるいは全部を形成する場合、当該弾性部材が弾性支持機構と別個である場合があり得る。
１つの態様では、前記弾性支持機構の一部あるいは全部が、板ばねから形成されている。
１つの態様では、前記内側弾性支持部材及び前記外側弾性支持部材は、板ばねから形成されている。
１つの態様では、前記足載せ部が前記板ばねを形成している。
１つの態様では、前記底部と前記足載せ部が一体形成されており、前記底部と前記足載せ部から板ばねが形成されている。
１つの態様では、後方部位は、前方部位に対して後方に向かって立ち上がり状に延びる傾斜面を備えており、前記後方部位は前記前方部位に対して回動可能である。
後方部位が前方部位に対して回動可能とは、弾性変形（撓むこと）による回動、軸（ヒンジ軸）を介する回動等、が含まれる。
１つの態様では、前記弾性支持機構は、コイルばねから形成されている。
１つの態様では、前記弾性支持機構は、クッションから形成されている。
【発明の効果】
【００１４】
本発明は、足載せ部の後方部位の下方への押し下げの度合いが、足載せ部の幅方向の内側部位と外側部位とで異なるように構成されており、踏み込み時に、押し下げの度合いの差異に応じて前記足載せ部が幅方向に傾斜するようにねじれる、運動器具に係り、本発明によれば、踏み込み時に、押し下げの度合いの差異に応じた前記足載せ部のねじれ（幅方向における傾斜）が、被験者の脚に作用する。
【００１５】
踏み込み時に、足載せ部の内側部位が外側部位よりも大きく下がるようになっている場合には、足載せ部の傾斜（内低・外高）が被験者の脚に内転を生じさせる。より具体的には、踏み込み時に、骨盤・股関節〜くるぶしまでの基本軸を伸展させながら内旋させることができ、Ｏ脚・蟹股の矯正に有効である。踵を踏み込む毎に踵が強度の弱い内側に内転（ねじれる）するため、蟹股から内股に矯正され、Ｏ脚・美脚造りに寄与する。靴底踵外側が磨り減る人に効果がある。
人間の歩行は踵からの着地であり、重心移動は踵の動きと密接である。綱渡りや平均台の歩行は、重心移動による姿勢バランスが整合している状態である。すなわち、踵が身体の中心軸（重心）に向かって内転することによって、蟹股歩行を補正して正しい姿勢を作ることができる。
また、足首の捻挫の多くは、この重心移動が極端に不整合の状態「極端な外旋（回外）」が原因で起こるが、本発明は、足首の捻挫や膝や股関節の変形、転倒による怪我の予防にも寄与することができる。
【００１６】
踏み込み時に、足載せ部の外側部位が内側部位よりも大きく下がるようになっている場合には、足載せ部の傾斜（内高・外低）が被験者の脚に外転を生じさせる。被験者の脚に内転を生じさせるか、外転を生じさせるかにかかわらず、本発明に係る運動器具は、シンプルな構成であり、固定の大掛かりなステッパ等と異なり、可搬性があり、手軽にどこでも「ながら」ステップ運動ができ、炊事、洗濯、何処でも「ながら」ステップ運動ができる。本発明に係る運動器具によれば、ふくらはぎの筋肉、腿の筋肉、お尻の筋肉など下半身の筋トレ運動が「ながら」ででき、ヒップアップ効果はもちろん、筋肉の多くは、お尻と腿にあるので、筋肉トレーニングによる基礎代謝アップでダイエット効果も期待できる。
【図面の簡単な説明】
【００１７】
【図１】第１の実施形態に係る運動器具の足載せ部及び底部の平面図、側面図、正面図である。
【図２】第１の実施形態に係る運動器具の足載せ部及び底部の斜視図である。
【図３】板ばねの斜視図及び側面図である。
【図４】第１の実施形態に係る運動器具の側面図である。
【図５】第２の実施形態に係る運動器具の足載せ部及び底部の平面図、側面図である。
【図６】第２の実施形態に係る運動器具の使用状態を説明する図である。
【図７】第３の実施形態に係る運動器具の足載せ部及び底部の斜視図、底部の平面図である。
【図８】第３の実施形態の変形に係る運動器具の使用状態を説明する図である。
【図９】第４の実施形態に係る運動器具の斜視図である。
【図１０】第４の実施形態に係る運動器具の足載せ部及び底部の側面図、板ばねの側面図及び斜視図である。
【図１１】第５の実施形態に係る運動器具の足載せ部及び底部の平面図、側面図である。
【図１２】補正運動器具を示す斜視図である。
【図１３】他の実施形態に係る運動器具の足載せ部及び底部の斜視図である。
【発明を実施するための形態】
【００１８】
［Ａ］実施形態１
本発明に係る第１の実施形態について、図１〜図４を参照しつつ説明する。第１の実施形態に係る運動器具は、図４に示すようなスリッパ形状を備えており、足載せ部１、下面が床面に接地する底部２、足載せ部１の前方側に設けたハネ（足の甲を覆う部分）３、を備えている。図１、図２では、説明の便宜上、スリッパのアッパー部分であるハネ３は省略してある。
【００１９】
足載せ部１は、つま先側に対応する前方部位１０と、踵側に対応する後方部位１１と、親指側（拇指球側、土踏まず側）の内側縁部１２と、小指側（小指球側）の外側縁部１３と、を備えている。足載せ部１の後方部位１１の上面１１０は、前方部位１０に対して後方に向かって立ち上がり状に延びる傾斜面となっており、足載せ部１の前方部位１０の上面１００はほぼ水平状（なだらかな傾斜状）に延びている。足載せ部１の上面１００、１１０上に足の裏を載せるようになっている。
【００２０】
底部２は、足載せ部１を同じ平面形状を備え、つま先側に対応する前方部位２０と、踵側に対応する後方部位２１と、親指側（土踏まず側）の内側縁部２２と、小指側の外側縁部２３と、を備えている。足載せ部１の前方部位１０と底部２の前方部位２０は一体化されている。足載せ部１及び底部２において、前後方向を長さ方向、内外方向を幅方向とする。
【００２１】
外力が作用しない状態では、足載せ部１の後方部位１１と底部２の後方部位２１は上下に離間対向しており、足載せ部１の後方部位１１の下面は、底部２の後方部位２１の上面に対して上方に浮いた状態にある。
【００２２】
足載せ部１は、後方部位１１が前方部位１０に対して上方に位置した状態、かつ、底部２の後方部位２１の上方に浮いた状態で、弾性支持機構である板ばね４によって支持されている。図３は板ばね４の１つの実施形態を示しており、１つの態様では、足載せ部１及び底部２に内蔵されている。板ばね４は、水平状に延びるベース４０と、ベース４０から後方に向かって傾斜状に立ち上がる傾斜部４１とを備え、ベース４０が底部２の前方部位２０から後方部位２１内に亘って延びるように位置し、傾斜部４１が足載せ部１の後方部位１１内に位置している。
【００２３】
図１、図２、図４は、運動器具に外力が作用しない状態であり、この状態から足載せ部１に足を載せて踵で後方部位１１を下方に押し下げるように踏み込むことで、足載せ部１の後方部位１１が底部２の後方部位２１に向かって下動し、次いで、踵を上げることで、板ばね４の弾性力で足載せ部１の後方部位１１が上動して図１、図２、図４の状態に復帰する。
【００２４】
足載せ部１の後方部位１１は全体に亘って同じ厚さを備え、幅方向（内側縁部１２と外側縁部１３を結ぶ方向）に水平状に延びている。底部２の後方部位２１の厚さは、幅方向の内側が薄く、幅方向の外側が厚くなっている。底部２の下面は水平面であり、内側縁部２２の高さは外側縁部２３の高さよりも低くなっており、底部２の上面は内低・外高の傾斜面２１０となっている。足載せ部１の下面の内側部位と底部２の上面の内側部位との距離は、足載せ部１の下面の外側部位と底部２の上面の外側部位との距離よりも大きくなっており、足載せ部１の幅方向の内側部位の踏み込み可動域が、外側部位の踏み込み可動域よりも大きくなっている。
【００２５】
足載せ部１（板ばね４を含む）はねじれを許容するような可撓性を備えており、このねじれにより、足載せ部１の後方部位１１を長軸回りに回動可能ないし傾動可能とすることで、後方部位１１が回転して上面が傾斜する。足載せ部１に足を載せて、つま先側は固定（安定）したままで、踵で後方部位１１を下方に押し下げるように踏み込むと、足載せ部１の後方部位１１は、幅方向に水平姿勢から幅方向に内低・外高に傾斜するようにねじれ、足載せ部１の傾斜（内低・外高）が被験者の脚に内転を生じさせる。なお、弾性支持機構を板ばねから形成する場合に、板ばね自体を、所望の方向へのねじれ傾向（内転あるいは外転を促すように）を備えるように構成してもよい。例えば、板ばねの回動基端部（ヒンジ部）に角度（足載せ部の長軸に直交する短軸に対して角度を付ける）を付けてもよい。また、板ばねを平面視円弧状ないし弓状（ブーメラン状）としてもよい。
【００２６】
運動器具の用い方について説明する。立姿姿勢で片足を後に下げ、その下げた足を足載せ部１に載せて、踵で足載せ部１の後方部位１１を踏み込むように押し下げ、踵の力を抜くと板ばね４の反発で後方部位１１が持ち上がる、といういわゆるヒップアップステップを行う。踏み込み運動が内転を促し、踏み込み時に、骨盤・股関節〜くるぶしまでの基本軸を伸展させながら内旋させて、Ｏ脚・蟹股の矯正を行う。これを繰り返す「ながら」ステップ運動を行うことで、ヒップアップ効果、ダイエット効果をもたらされると共に、踏み込み運動でＯ脚・蟹股が改善される。本実施形態に係る運動器具は、固定式の大掛かりなステッパ等と異なり、可搬性があり、手軽にどこでも「ながら」ステップ運動を行うことができる。また、履物（サンダル）を兼用してもよい。両足を揃えて、ジャンプステップも行ってもよい。
【００２７】
［Ｂ］実施形態２
図５、図６に示す態様では、足載せ部１の後方部位１１を支持する弾性支持機構は、足載せ部１の後方部位１１の幅方向の内側部位を支持する内側弾性支持部材である内側板ばね４Ａと、足載せ部１の後方部位１１の幅方向の外側部位を支持する外側弾性支持部材である外側板ばね４Ｂと、を備えている。図示の態様では、内側板ばね４Ａと外側板ばね４Ｂは、足載せ部１の幅方向に並設されている。
【００２８】
図示の態様では、足載せ部１の後方部位１１の前方の下面と底部２の後方部位２１の上面との間に、足載せ部１、底部２とは別個に設けた内側板ばね４Ａ、外側板ばね４Ｂを示す。足載せ部１と底部２とは別個に弾性支持部材を設ける場合には、板ばね４Ａ、４Ｂの他に、ねじりばね、コイルばね、クッションを用いてもよい。なお、第１実施形態のように、これらの内外の板ばねを足載せ部１及び底部２に内蔵するようにしてもよい。例えば、図３に示す板ばねを細幅にして内側板ばね、外側板ばねを形成して、足載せ部１及び底部２に内蔵させてもよい。図６左図に示すように、足載せ部１の後方部位１１の下面に床面に接地するクッション等の当接部１１１を設けてもよい。また、底部２の後方部位２１を足載せ部１の後方部位１１に対向するように延ばしてもよい（図５に点線で示す）。なお、足載せ部１及び底部２も弾性部材から構成することで（例えば、実施形態１のように板ばねを内蔵する）、板ばね４Ａ、４Ｂと別個に板ばねを形成していてもよい。
【００２９】
内側板ばね４Ａの強度は、外側板ばね４Ｂの強度よりも小さく、内側板ばね４Ａは外側板ばね４Ｂのよりも小さい押し下げ力で潰れるようになっている。すなわち、足載せ部１の後方部位１１は内側部位が外側部位よりも下がりやすいようになっている。内側板ばね４Ａの強度と外側板ばね４Ｂの強度とを異ならしめることは、板ばねの肉厚に差異をつける、板ばねの寸法（例えば幅寸法）に差をつける等により得ることができる。
【００３０】
足載せ部１はねじれを許容するような可撓性を備えており、足載せ部１に足を載せて、つま先側は固定（安定）したままで、踵で後方部位１１を下方に押し下げるように踏み込むと、足載せ部１の後方部位１１は、幅方向に水平姿勢から幅方向に内低・外高に傾斜するようにねじれながら下がり接地し、足載せ部１の傾斜（内低・外高）が被験者の脚に内転を生じさせる。
【００３１】
運動器具の用い方について説明する。立姿姿勢で片足を後に下げ、その下げた足を足載せ部１に載せて、踵で足載せ部１の後方部位１１を踏み込むように押し下げ、踵の力を抜くと板ばね４の反発で後方部位１１が持ち上がる、といういわゆるヒップアップステップを行う。踏み込み運動が内転を促し、踏み込み時に、骨盤・股関節〜くるぶしまでの基本軸を伸展させながら内旋させて、Ｏ脚・蟹股の矯正を行う。これを繰り返す「ながら」ステップ運動を行うことで、ヒップアップ効果、ダイエット効果をもたらされると共に、踏み込み運動でＯ脚・蟹股が改善される。改善角度を、図６右図に白線で示す。また、本実施形態に係る運動器具は、固定式の大掛かりなステッパ等と異なり、可搬性があり、手軽にどこでも「ながら」ステップ運動を行うことができる。接地面にカウンターを設置して回数を計数してもよい。第１の実施形態のように、サンダル等の履物を兼用してもよい両足を揃えて、ジャンプステップを行ってもよい。
【００３２】
上述のように、実施形態２は、内側板ばねの強度を弱く、外側板ばねの強度を強くすることで、つま先から踵への踏み込み運動で、足載せ部１を内側に傾斜変形させて、内転を促すものである。なお、内側弾性支持部材である内側板ばね４Ａと、外側弾性支持部材である外側板ばね４Ｂと、を略同じ強度から形成すると共に、踏み込み可動域が異なるようにしてもよい。例えば、外側板ばね４Ｂにストッパーを設け、足載せ部１の後方部位１１を踵で押し下げた時に、ある量までは内側板ばね４Ａと外側板ばね４Ｂがほぼ同時に沈み、その後は、外側板ばね４Ｂの降下はストッパーにより規制され、内側板ばね４Ａのみが沈み込んで、足載せ部１の後方部位１１が内低・外高にねじれるようにしてもよい。また、この変形として、１つの幅広の板ばねの傾斜部の幅方向中央部位に長さ方向にスリットを形成して、内側傾斜部と外側傾斜部に分割し、外側傾斜部の降下をストッパーによって規制してもよい。
【００３３】
［Ｃ］実施形態３
実施例３に係る運動器具は、つま先から踵への踏み込み運動で内転ないし外転を促す運動器具である。図７に示すように、足載せ部１の後方部位１１と底部２の後方部位２１との間に、幅方向に並んで、内側板ばね４Ａ、外側板ばね４Ｂが設けてある。内側板ばね４Ａ、外側板ばね４Ｂは同形・同ばね強度である。底部２の上面には、内側ガイド５Ａ、外側ガイド５Ｂが、幅方向に並設されている。内側板ばね４Ａは内側ガイド５Ａ上を長さ方向に移動可能となっており、外側板ばね４Ｂは外側ガイド５Ｂ上を長さ方向に移動可能となっている（内側板ばね４Ａ、外側板ばね４Ｂの位置が長さ方向に変わることで作用点が移動する）。
【００３４】
内側板ばね４Ａ、外側板ばね４Ｂは、前方側の第１の位置と後方側の第２の位置の間で可動となっており、押し下げ力が作用しない状態では第１の位置にあると共に、第２の位置から第１の位置へ向かって付勢されており、踏み込み時の押出し圧力に応じて第１の位置から第２の位置へ自動移動し、踵を上げると第２の位置から第１の位置へ自動移動する。内側板ばね４Ａ、外側板ばね４Ｂが長さ方向に移動することで、作用点が移動する。内側板ばね４Ａ、外側板ばね４Ｂは、それぞれストッパー（図示せず）によって内側ガイド５Ａ、外側ガイド５Ｂ上の移動を規制することができる。
【００３５】
外側板ばね４Ｂを第１の位置にストッパーで固定した状態で、足載せ部１の後方部位１１を踵で押し下げると、内側板ばね４Ａが第１の位置から第２の位置へ向かって移動し、踵に向かって作用点移動することで、内側板ばね４Ａが外側板ばね４Ｂよりも大きく潰れることで、足載せ部１の後方部位１１が内低・外高に傾斜するようにねじれ、内転を促す。
【００３６】
内側板ばね４Ａを第１の位置にストッパーで固定した状態で、足載せ部１の後方部位１１を踵で押し下げると、外側板ばね４Ｂが第１の位置から第２の位置へ向かって移動し、踵に向かって作用点移動することで、外側板ばね４Ｂが内側板ばね４Ａよりも大きく潰れることで、足載せ部１の後方部位１１が内高・外低に傾斜するようにねじれ、外転を促す。
【００３７】
このように、踏み込み時に、内側弾性支持部材としての内側板ばね４Ａを下方に押し下げるための力の作用点と、外側弾性支持部材としての外側板ばね４Ｂを下方に押し下げるための力の作用点が、足載せ部１及び底部２の長さ方向にずらすことで、より後方に位置する側の板ばねが潰れやすくしている。また、内側板ばね４Ａ、外側板ばね４Ｂの、前方側の第１の位置と後方側の第２の位置を調整することで、内転ないし外転のねじれ角度を調節することができる。なお、内側弾性支持部材、外側弾性支持部材のいずれか一方のみを足載せ部１及び底部２の長さ方向に可動としてもよく、例えば、外側板ばね４Ｂは固定式として（外側ガイド５Ｂを設けない）、内側板ばね４Ａのみを長さ方向に可動としてもよい。
【００３８】
図８は、図７に示す実施形態の変形に関するものである。図７に示す実施形態と同様に、内側板ばね４Ａ、外側板ばね４Ｂは足載せ部１、底部２の長さ方向に移動可能となっている。底部２の長さ寸法は足載せ部１の長さ寸法に対して短尺であり、内側板ばね４Ａ、外側板ばね４Ｂは底部２の後端に対してスライド可能に設けてあり、前方側（底部２の後端に引き込まれた）の第１の位置と、後方側（底部２の後端から突出した）の第２の位置と、をとるようになっている。内側板ばね４Ａ、外側板ばね４Ｂの移動を規制することが可能となっている。外側板ばね４Ｂの作用点がＢ側にあり、内側ばね４Ａの作用点がＡ側にある場合、つま先から踵への踏み込み運動で足載せ部１の後方部位１１は内側にねじれて、内転を促す。実施形態３に係る運動器具の基本的な用い方は、実施形態１、２と同様なので省略する。
【００３９】
［Ｄ］実施形態４
図９に、足載せ部１と、底部２と、ハネ（足の甲を覆う部分）３と、を備えたサンダルを示す。足載せ部１は、前方部位１０と、前方部位１１の後方から傾斜状に立ち上がる後方部位１１と、からなる。足載せ部１の後方部位１１の周縁には、滑り防止用の隆起縁部１１２が形成されている。第１実施形態に比べて底部２は短尺となっているが、底部２の後端を足載せ部１の後方部位１１の後端の下方にまで延ばしてもよい。足載せ部１及び底部２には板ばね４が内蔵されている。図１０に示すように、板ばね４は、水平状に延びるベース４０と、ベース４０から後方に向かって傾斜状に立ち上がる傾斜部４１とを備え、ベース４０が足載せ部１及び底部２の前方部位１０、２０内に位置し、傾斜部４１が足載せ部１の後方部位１１内に位置している。
【００４０】
板ばね４は、下方への押し下げの度合いが、足載せ部１の幅方向の内側部位と外側部位とで異なるように構成されている。１つの態様では、板ばね４は、幅方向の内側部位と外側部位とで強度が異なるように構成されている。具体的な例では、板ばね４の厚さを、幅方向の内側部位と外側部位とで異ならしめることで（例えば、内側部位を薄く、外側部位を厚くする）、内側部位と外側部位の強度の強弱をつけている。なお、ばね強度が異なる別体の内側板ばね、外側板ばねを内蔵するようにしてもよい。
【００４１】
あるいは、板ばね４を、幅方向の内側部位と外側部位とで踏み込み可動域（押し下げ可動量）が異なるように構成してもよい。具体的な例では、板ばね４の回動支点である板ばね４の傾斜部４１の基端側（ベース４０に近い側）に幅方向の内側あるいは外側に偏倚させてストッパーを設けて板ばねの回動角度（潰れ量ないし沈み量）を幅方向の内側と外側とで異ならしめてもよい。なお、ばね強度が異なる別体の内側板ばね、外側板ばねを内蔵するようにしてもよい。
【００４２】
［Ｅ］実施形態５
図１１の態様では、足載せ部１から板ばねが形成されており（例えば、板ばね４が内蔵されている）、弾性支持機構は、板ばね４と、足載せ部１の後方部位１１を弾性支持する１つの弾性支持部材としての板ばね４´と、から形成されている。板ばね４´は、足載せ部１及び底部２の幅方向の内外のいずれかに偏倚させて設けられている。
【００４３】
図１１では、幅方向の外側に位置して設けてある。したがって、弾性支持機構において、内側部位は板ばね４のみのばね力となり、外側部位は板ばね４＋板ばね４´のばね力となり、外側部位のばね力が強く、足載せ部１の後方部位１１を踵で押し下げる踏み込み時には、内側部位が下がりやすくなっている。板ばね４´を足載せ部１及び底部２の長さ方向に可動とし、位置調整可能としてもよい。板ばね４´を足載せ部１及び底部２の幅方向に可動とし、位置調整可能としてもよい。前記１つの弾性支持部材は、板ばね４´に代えてクッション等の他の弾性部材であってもよい。
【００４４】
［Ｆ］付記
［Ｆ−１］内外方向に２つの弾性支持機構を設けた態様
弾性支持機構を内側と外側で分割して、２つの弾性支持部材で足載せ部を上下動可能に弾性支持することは、当該運動器具に様々な機能を与え得る。
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記弾性支持機構は、前記後方部位の幅方向の内側部位を支持する内側弾性支持部材と、前記後方部位の幅方向の外側部位を支持する外側弾性支持部材と、を備えている、運動器具。
前記内側弾性支持部材及び前記外側弾性支持部材は、板ばね、ねじりばね、板ばね＋ねじりばね、コイルばね、クッションのいずれかから形成され得る。
【００４５】
以下の態様の多くは、実施形態２〜４において言及されている。
１つの態様では、前記足載せ部はねじれを許容するような可撓性を備えており、
前記後方部位の下方への押し下げの度合いが、前記足載せ部の幅方向の内側部位と外側部位とで異なるように構成されており、
踏み込み時に、押し下げの度合いの差異に応じて前記足載せ部が幅方向に傾斜するようにねじれる。
１つの態様では、前記内側弾性支持部材を下方に押し下げるための力と、前記外側弾性支持部材を下方に押し下げるための力を、異ならしめてなる。
１つの態様では、前記内側弾性支持部材と、前記外側弾性支持部材は、異なる強度を備えている。
１つの態様では、前記内側弾性支持部材の強度は、前記外側弾性支持部材の強度よりも小さい。
１つの態様では、前記内側弾性支持部材の強度は、前記外側弾性支持部材の強度よりも大きい。
１つの態様では、踏み込み時に、前記内側弾性支持部材を下方に押し下げるための力の作用点と、前記外側弾性支持部材を下方に押し下げるための力の作用点が、足載せ部の長さ方向にずれている。
１つの態様では、前記内側弾性支持部材と、前記外側弾性支持部材は、踏み込み可動域が異なる。
１つの態様では、前記内側弾性支持部材及び前記外側弾性支持部材は、前記足載せ部の幅方向に並設されている。
１つの態様では、前記内側弾性支持部材及び前記外側弾性支持部材は、前記足載せ部の長さ方向にずれている。
１つの態様では、前記内側弾性支持部材と、前記外側弾性支持部材は、略同じ強度を備えている。
１つの態様では、前記内側弾性支持部材および／あるいは外側弾性支持部材は、前記足載せ部の長さ方向に可動である。
１つの態様では、前記内側弾性支持部材および／あるいは前記外側弾性支持部材は、床面に接地するベースに対してスライド可能となっている。すなわち、内外の弾性支持部材の一方あるいは両方が長さ方向にスライドするようになっている。
１つの態様では、床面に接地する底部上には長さ方向に延びるガイドが形成されており、前記内側弾性支持部材および／あるいは前記外側弾性支持部材は、前記ガイド上を長さ方向に移動可能となっている。
１つの態様では、前記内側弾性支持部材および／あるいは前記外側弾性支持部材は、第１の位置と第２の位置の間で可動となっており、押し下げ力が作用しない状態では第１の位置にあると共に、第２の位置から第１の位置へ向かって付勢されており、踏み込みに応じて第１の位置から第２の位置へ移動し、踵を上げると第２の位置から第１の位置へ移動する。
１つの態様では、足載せ部の長さ方向に可動の内側弾性支持部材および／あるいは外側弾性支持部材の長さ方向の位置は、ストッパーによって固定可能である。
【００４６】
図１２に、つま先から踵への踏み込み運動で内・外転を補正する補正運動器具を示す。足載せ部１及び底部２の幅方向に延びる共通する軸の両端に板バネを設ける。軸は板ばねの回動支点に位置している。具体的には軸の内側端には内側板ばね４Ａを設け、同軸の外側端には外側板ばね４Ｂを設ける。
【００４７】
内側板ばね４Ａと外側板ばね４Ｂは、どちらに力が加わっても同じトルクで連動して回動するようになっている。足載せ部１の後方部位１１を踵で踏み込むと、外転する重心は外側板ばねＢに掛かるが、同軸により内側ばねＡは外側ばねＢに連動して潰れるため、足載せ部１の後方部位１１は平行状に下降する。Ｏ脚の外転する力は、圧縮しながら内側板ばねＡ＝外側板ばねＢに分圧されて補正される。
【００４８】
ここで、内・外側に同じ仕様のバネが２個設けられた場合には、変位した重心側に足載せ部が変形して、Ｏ脚が助長されてしまう。また、内・外側一体式仕様のバネが設置された場合には、（ア）バネが弱い場合には、変位した重心側に足載せ部が変形して、Ｏ脚が助長され、（イ）バネが強い場合には、硬すぎて踏み込めず、可動域が狭く、有効な運動が行えない。図１２に示す態様は、これらの課題を解決するものである。
【００４９】
つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記弾性支持機構は、前記後方部位の幅方向の内側部位を支持する内側弾性支持部材である内側板ばねと、前記後方部位の幅方向の外側部位を支持する外側弾性支持部材である外側板ばねと、を備えており、
前記内側板ばねと前記外側板ばねは、同軸に装着されていると共に、前記内側板ばねと前記外側板ばねはばね力（板ばねの回動トルク）が略同じであり、一方の板ばねの動き（下降・上昇）に連動して他方の板ばねも一緒に動く（下降・上昇）ように構成されている。
【００５０】
［Ｆ−２］その他の使用態様
本実施形態に係る運動器具が左右の足にそれぞれ対応する一対（第１運動器具、第２運動器具）で用意される場合に、第１運動器具、第２運動器具をそれぞれ左右対称デザインとすることで、第１運動器具、第２運動器具をそれぞれ左足、右足に適用した場合には内転を促し、左右を入れ替えて、第１運動器具、第２運動器具をそれぞれ右足、左足に適用した場合には外転を促すことができる。
第１運動器具、第２運動器具（例えば、図１２に示す運動器具）を左右１セットとして、座面矯正など足部以外の身体部に適用することができる。板ばねからなる弾性支持機構がクッションとして機能し、また、曲がって座る姿勢不良を防止できる。この場合、「足載せ部」という文言は、「身体載せ部」ないし「臀部載せ部」等に置き換えることができる。
【００５１】
［Ｆ−３］他の実施態様
図１３を参照しつつ、さらに他の実施態様について説明する。本態様では、運動器具は、つま先側に対応する前方部位１０と踵側に対応する後方部位１１とを有する足載せ部１と、床面に接地する底部２と、を備え、足載せ部１の下面と底面２の上面は接合されて一体化している。底面２の下面は水平面である。図１３では、足載せ部１と底部２のみ示しており、他の要素は省略されているが、このような足載せ部１及び底部２を備えた運動器具としては、スリッパやサンダル等の履物を例示することができる。なお、足載せ部１と底部２を一部材から構成してもよい。
【００５２】
足載せ部１の上面において、外側縁部１３の高さは内側縁部１２の高さよりも高くなっており、後方部位１１の高さは前方部位１０の高さよりも高くなっており、足載せ部１の上面は全体として内低・外高、かつ、前低・後高の傾斜面となっている。１つの態様では、後方部位１１の上面１１０の傾斜勾配（前後方向及び幅方向）は、前方部位１０の上面１００の傾斜勾配（前後方向及び幅方向）よりも大きくなっており、足載せ部１の上面自体が、外力が作用しない状態において、捩じれた姿勢となっている。前方部位１０の上面１００の傾斜勾配は水平を含み、１つの態様では、上面１００は略水平面であり、また、生理的に多少傾斜していてもよい。上面１００、１１０は、それぞれ、かならずしも均一の勾配でなくてもよく、上面１００内において、ある部分の勾配が他の残りの部分の勾配と異なってもよく、上面１１０内において、ある部分の勾配が他の残りの部分の勾配と異なっていてもよい。例えば、上面１１０の後端部位や外端部位の勾配をなだらかにしてもよい（すなわち、水平面に近くする）。
【００５３】
足載せ部１の後方部位１１の上面１１０は前方部位１０の上面１００に比べて高くなっており、後方部位１１の上面１１０は弾性クッション等の緩衝部材によって弾性支持される。１つの態様では、足載せ部１は、全体が荷重によって弾性変形可能な部材（弾性部材やクッションン等の緩衝部材）から構成されており、かつ、外力が作用しないねじれ姿勢からさらにねじれを許容するような可撓性を備えている。足載せ部１の上面は、後方部位１１が前方部位１０に対して上方に位置した状態で弾性支持機構（足載せ部の後方部位１１の弾性部材自体が弾性支持機構となる）によって支持されており、例えば運動器具が履物の場合には、歩行時には、足載せ部１に足を載せて踵で後方部位１１を下方に押し下げるように踏み込む運動が行われる。
【００５４】
後方部位１１の下方への押し下げの度合いが、足載せ部１の幅方向の内側部位と外側部位とで異なるように構成されており、踏み込み時（歩行時）に、押し下げの度合いの差異に応じて足載せ部１がさらに幅方向に傾斜するようにねじれる。より具体的には、足を載せた時の足載せ部１の捩じれによる重心移動によって、後方部位１１の下方への押し下げの度合いが、足載せ部の幅方向の内側部位と外側部位とで異なるようになっており（図示の態様では、内側部位に重心が作用して押し下げられる）、踏み込み時（歩行時）に、押し下げの度合いの差異に応じて前記足載せ部がさらに幅方向に傾斜するようにねじれる。前方部位１０における幅方向の押し下げ度合より後方部位１１における幅方向の押し下げ度合が大きくなっており（足載せ部１の後方部位１１の肉厚が前方部位１０の肉厚よりも大きいことや、足載せ部１への荷重のかかり方等にも影響され得る）、前方部位１０と後方部位１１の幅方向の押し下げ度合いが異なることが（後方部位１１が前方部位１０に対して大きく沈む）、足載せ部１の捩じれに寄与する。
【００５５】
このように、最初から捩じれている足載せ部１に足を載せると、後方部位１１では捩じれた内低に重心移動が起こり、後方部位１の内低側が弾性変形して沈む。沈み量（踏み込み可動域）の大きさは、弾性支持機構である弾性クッション等の高さや硬さにも依存するが、沈み量が大きければ、さらなる捻じれ量は大きく、小さければ、さらなる捻じれ量は小さい。適切な沈み量（踏み込み可動域）は当業者において適宜設計され、例えば、一般に高齢者においては、沈み量（踏み込み可動域）は小さいほうが望ましいであろう。
【００５６】
本実施形態は、つま先側に対応する前方部位（１０）と踵側に対応する後方部位（１１）とを有する足載せ部（１）を備えた履物であって、
前記足載せ部（１）の上面は、前方部位の第１面（１００）と、後方部位の第２面（１１０）と、からなり、
前記第１面（１００）は第１の勾配で前後方向に延び、第２の勾配で幅方向に延び、
前記第２面（１１０）は、前低・後高（前側が低く、後側が高い）かつ内低・外高（内側が低く、外側が高い）の傾斜面であり、当該第２面（１１０）は第３の勾配で前後方向に延び、第４の勾配で幅方向に延び、
前記第３の勾配は前記第１の勾配よりも大きく、前記第４の勾配は前記第２の勾配よりも大きい。
このような構成を採用することによって、足載せ部の上面は、捩じれた姿勢となっている。
１つの態様では、前記第１の勾配、前記第２の勾配は、ほぼ水平である。
なお、勾配の大きさは水平面に対する角度によって規定され、角度が大きいほど勾配が大きくなる。
【００５７】
本実施形態は、つま先側に対応する前方部位と踵側に対応する後方部位とを有する足載せ部と、床面に接地する底部と、を備え、前記足載せ部は、前記後方部位が前記前方部位に対して上方に位置した状態で弾性支持機構によって支持されており、前記足載せ部に足を載せて踵で前記後方部位を下方に押し下げるように踏み込む運動器具であって、
前記足載せ部はねじれを許容するような可撓性を備えており、
前記後方部位の下方への押し下げの度合いが、前記足載せ部の幅方向の内側部位と外側部位とで異なるように構成されており、
踏み込み時に、押し下げの度合いの差異に応じて前記足載せ部が幅方向に傾斜するように捩じれ、
前記運動器具は、スリッパやサンダル等の履物であり、
前記足載せ部と前記底部は一体化されており、
前記弾性支持機構は、クッション等の弾性部材からなり、
少なくとも前記後方部位の上面を、前低・後高かつ内低・外高の傾斜面とすることで、前記足載せ部は、荷重が作用しない状態で捩じれており、
前記足載せ部は、荷重が作用した時に、さらなるねじれを許容するような可撓性を備えており、
足を載せた時の前記足載せ部の捩じれによる重心移動によって、前記後方部位の下方への押し下げの度合いが、前記足載せ部の幅方向の内側部位が外側部位よりも大きくなるように構成されており、
踏み込み時（歩行時）に、前記足載せ部の後方部位の内側部位が沈むことで、前記足載せ部がさらに幅方向に傾斜するように捩じれる。
【符号の説明】
【００５８】
１  足載せ部
１０  前方部位
１１  後方部位
１２  内側縁部
１３  外側縁部
２  底部
２０  前方部位
２１  後方部位
２２  内側縁部
２３  外側縁部
４、４Ａ、４Ｂ  板ばね
【図１】
0006415406.tif 000002
【図２】
0006415406.tif 000003
【図３】
0006415406.tif 000004
【図４】
0006415406.tif 000005
【図５】
0006415406.tif 000006
【図６】
0006415406.tif 000007
【図７】
0006415406.tif 000008
【図８】
0006415406.tif 000009
【図９】
0006415406.tif 000010
【図１０】
0006415406.tif 000011
【図１１】
0006415406.tif 000012
【図１２】
0006415406.tif 000013
【図１３】
0006415406.tif 000014